(57)【特許請求の範囲】
【請求項１】
インターネットにアクセスする方法であって：
屋内アクセス・ポイント（AP）によって、物理的接続チャネルを使って、モバイルAPのサービス・セット識別子（SSID）情報および暗号化情報を受信する段階と；
前記屋内APによって、前記モバイルAPの前記SSID情報および前記暗号化情報を第一のSSID名中に記憶する段階と；
前記屋内APによって、前記モバイルAPがそのワイヤレス・フィデリティーWi-Fi検索機能を無効にするために使われる無効化情報を前記モバイルAPに送る段階と；
前記屋内APによって、前記モバイルAPと通信するモバイル端末が前記第一のSSID名における前記SSID情報および前記暗号化情報を呼び出すことによってインターネットにアクセスするよう前記第一のSSID名を有効化する段階とを含む、
方法。
【請求項２】
前記屋内APによって、モバイルAPのSSID情報および暗号化情報を受信する前記段階が具体的には：
前記屋内APによって、前記モバイルAPが物理的接続を確立したことを検出する場合に前記モバイルAPへの物理的接続チャネルを確立し、前記屋内APによって、該物理的接続チャネルを使って前記モバイルAPの前記SSID情報および前記暗号化情報を受信する段階を含む、
請求項１記載の方法。
【請求項３】
前記屋内APによって、第二のSSID名におけるSSID情報および暗号化情報を前記モバイルAPに送って、前記モバイルAPが前記第二のSSID名における前記SSID情報および前記暗号化情報を構成設定ファイル中に記憶するようにする段階をさらに含む、
請求項１記載の方法。
【請求項４】
前記屋内APによって、前記モバイルAPと通信する前記モバイル端末が、前記第二のSSID名における前記SSID情報および前記暗号化情報を呼び出すことによってインターネットに接続されるよう、前記モバイルAPの物理的切断を検出した場合に前記第一のSSID名を無効にする段階をさらに含む、
請求項３記載の方法。
【請求項５】
インターネットにアクセスする方法であって：
モバイルAPによって、そのSSID情報および暗号化情報を、前記SSID情報および前記暗号化情報が屋内APの第一のSSID名中に書き込まれるよう、物理的接続チャネルを使って前記屋内APに送る段階と；
前記モバイルAPによって、前記屋内APによって送られた無効化情報を受信する段階と；
前記モバイルAPによって、前記無効化情報に従ってそのワイヤレス・フィデリティーWi-Fi検索機能を無効化して、前記モバイルAPと通信するモバイル端末が前記屋内APの前記第一のSSID名における前記SSID情報および前記暗号化情報を呼び出すことによってインターネットにアクセスするようにする段階とを含む、
方法。
【請求項６】
前記モバイルAPによって、前記屋内APの第二のSSID名におけるSSID情報および暗号化情報を前記屋内APから受信する段階と；
前記モバイルAPによって、前記第二のSSID名における前記SSID情報および前記暗号化情報を構成設定ファイル中に記憶する段階とをさらに含む、
請求項５記載のインターネットにアクセスする方法。
【請求項７】
前記モバイルAPによって、前記屋内APとの物理的接続を中断する段階と；
前記モバイルAPによって、ユーザーの有効化情報を受領する段階と；
前記モバイルAPによって、前記有効化情報に従ってそのワイヤレス・フィデリティーWi-Fi検索機能を有効にし、前記屋内APの前記第二のSSID名における前記SSID情報および前記暗号化情報を検索し、前記モバイルAPと通信する前記モバイル端末が、前記第二のSSID名における前記SSID情報および前記暗号化情報を呼び出すことによってインターネットに接続されるようにする段階をさらに含む、
請求項６記載のインターネットにアクセスする方法。
【請求項８】
屋内APであって：
モバイルAPとの物理的接続を確立するよう構成された物理インターフェースと；
モバイルAPと物理的接続チャネルが確立されたのち前記モバイルAPのSSID情報および暗号化情報を受信し、前記モバイルAPの前記SSID情報および前記暗号化情報を記憶装置に送信するよう構成された受信機と；
前記受信機によって受信された前記モバイルAPの前記SSID情報および前記暗号化情報を第一のSSID名中に記憶するよう構成された前記記憶装置と；
前記記憶装置が前記モバイルAPの前記SSID情報および前記暗号化情報を前記第一のSSID名中に記憶したのち、前記モバイルAPがそのワイヤレス・フィデリティーWi-Fi検索機能を無効にするために使われる無効化情報を前記モバイルAPに送るよう構成された送信機と；
前記送信機が前記無効化情報を送ったのち、前記モバイルAPと通信するモバイル端末が前記第一のSSID名における前記SSID情報および前記暗号化情報を呼び出すことによってインターネットにアクセスするよう、前記記憶装置中に記憶されている前記第一のSSID名を有効化するよう構成されたプロセッサとを含む、
屋内AP。
【請求項９】
前記送信機がさらに、前記モバイルAPに前記無効化情報を送ったのち、第二のSSID名におけるSSID情報および暗号化情報を前記モバイルAPに送って、前記モバイルAPが前記第二のSSID名における前記SSID情報および前記暗号化情報を構成設定ファイル中に記憶するよう構成されている、
請求項８記載の屋内AP。
【請求項１０】
前記物理インターフェースがさらに、前記モバイルAPとの物理的接続を中断するよう構成されており、
前記プロセッサがさらに、前記モバイルAPと通信する前記モバイル端末が、第二のSSID名におけるSSID情報および暗号化情報を呼び出すことによってインターネットに接続されるよう、前記プロセッサが前記モバイルAPの物理的切断を検出した場合に、前記記憶装置における前記第一のSSID名を無効にするようさらに構成されている、
請求項８記載の屋内AP。
【請求項１１】
モバイルAPであって：
屋内APとの物理的接続を確立するよう構成された物理インターフェースと；
前記屋内APと物理的接続チャネルが確立されたのち、当該モバイルAPのSSID情報および暗号化情報を前記屋内APに送るよう構成された送信機と；
前記送信機が前記SSID情報および前記暗号化情報を前記屋内APに送ったのちに前記屋内APによって送られた無効化情報を受信し、前記無効化情報をプロセッサに送信するよう構成された受信機と；
前記受信機によって受信された前記無効化情報に従ってワイヤレス・フィデリティーWi-Fi検索機能の無効化をトリガーして、当該モバイルAPと通信するモバイル端末が前記屋内APの第一のSSID名中の前記SSID情報および前記暗号化情報を呼び出すことによってインターネットにアクセスするようにするよう構成された前記プロセッサとを含む、
モバイルAP。
【請求項１２】
前記受信機がさらに、前記屋内APによって送られた前記無効化情報を受信したあと、第二のSSID名におけるSSID情報および暗号化情報を前記屋内APから受信し、前記屋内APの受信された第二のSSID名における前記SSID情報および前記暗号化情報を記憶装置に送信するよう構成されており；
前記屋内APがさらに前記受信機によって受信される当該モバイルAPの前記第二のSSID名における前記SSID情報および前記暗号化情報を構成設定ファイル中に記憶するよう構成された前記記憶装置を有している、
請求項１１記載のモバイルAP。
【請求項１３】
前記物理インターフェースがさらに、前記モバイルAPとの物理的接続を中断するよう構成されており、
前記受信機がさらに、ユーザーの有効化情報を受領し、該有効化情報を前記プロセッサに送信するよう構成されており、
前記プロセッサがさらに、前記受信機によって受信された前記有効化情報に従ってそのワイヤレス・フィデリティーWi-Fi検索機能を有効にし、前記屋内APの第二のSSID名におけるSSID情報および暗号化情報を検索し、当該モバイルAPと通信する前記モバイル端末が、前記第二のSSID名における前記SSID情報および前記暗号化情報を呼び出すことによってインターネットに接続されるようにするよう構成されている、
請求項１１記載のモバイルAP。
【発明の詳細な説明】
【技術分野】
【０００１】
本発明は通信技術の分野に、詳細にはインターネットにアクセスする方法および装置に関する。
【背景技術】
【０００２】
無線アクセス・ポイント（AP）は、無線ネットワークおよび無線ネットワークのコアにも適用可能な無線スイッチである。無線APは、ユーザー端末が有線ネットワークにアクセスするためのアクセス・ポイントである。無線APは主としてブロードバンド家庭から、建物内において、またはコミュニティーにおいて有線ネットワークにアクセスするために使われ、その典型的なカバレッジ距離は数十ないし数百メートルである。現在は802.11シリーズの技術に基づき、たいていの無線APはアクセス・ポイント・クライアント・モードを提供し、ネットワーク・カバレッジを拡張するために他のAPと無線接続を有することもある。
【０００３】
ワイヤレス・フィデリティー（Wireless  Fidelity、wi-fi）技術は急速に開発され、ここ数年間で広く応用されるに至っている。Wi-Fi技術はユーザーが電子メール、ウェブページおよびストリーミング・メディアにアクセスできるようにするインターネット技術であり、ユーザー端末に無線ブロードバンド・インターネット・アクセスを提供する。一方、Wi-Fi技術は家庭で、オフィスで、または出先でインターネットにアクセスする高速かつ便利な手段でもある。Wi-Fiネットワークにアクセスできる場所はホットスポットと称される。図１および図２に示されるように、複数のWi-Fi対応APが組み合わされているシナリオがますます増えてきている。図１では、屋内ユーザー端末が屋内APを使ってインターネットに接続されている。Wi-Fi検索機能を備えて、屋内ユーザー端末は屋内APのサービス・セット識別子（SSID:  service  set  identifier）名を検索し、それに接続され、ユーザー端末がその屋内APを使ってインターネットに接続されることができるようにする。図２では、屋外ユーザー端末がモバイルAPを使ってインターネットに接続される。Wi-Fi検索機能を備えて、屋外ユーザー端末はモバイルAPのSSID名を検索し、それに接続され、ユーザー端末をそのモバイルAPを使って3Gネットワークに接続されるようにする。
【０００４】
現在、ユーザー端末の3Gのダイヤルアップ・ベースのインターネット・アクセスの仕方は便利かつ高速であり、たいていのユーザー端末はインターネットへの3Gダイヤル・アップ・アクセス機能をサポートする。しかしながら、ユーザー端末が増え続けるため、限られたネットワーク資源が使い尽くされることがありうる。したがって、従来技術の欠点は、多数のユーザー端末がネットワーク資源の頻度を増し、ネットワーク輻輳につながるということである。
【発明の概要】
【発明が解決しようとする課題】
【０００５】
本発明の実施形態は、複数のアクセス・ポイントの組み合わされた適用を便利かつ正確に制御し、3Gネットワークを使う頻度を減らし、ネットワーク・ユーザーが絶えず増える間もネットワーク輻輳を減らすための、インターネットにアクセスする方法および装置を開示する。
【課題を解決するための手段】
【０００６】
第一の側面では、本発明のある実施形態は、インターネットにアクセスする方法であって：
屋内APによって、物理的接続チャネルを使って、モバイルAPのSSID情報および暗号化情報を受信する段階と；
前記モバイルAPの前記SSID情報および前記暗号化情報を第一のSSID名中に記憶する段階と；
前記モバイルAPがそのWi-Fi検索機能を無効にするために使われる無効化情報を前記モバイルAPに送る段階と；
前記モバイルAPと通信するモバイル端末が前記第一のSSID名中の前記SSID情報および前記暗号化情報を呼び出すことによってインターネットにアクセスするよう前記第一のSSID名を有効化する段階とを含む、
方法を開示する。
【０００７】
第二の側面では、本発明のある実施形態は、インターネットにアクセスする方法であって：
モバイルAPによって、そのSSID情報および暗号化情報を、前記SSID情報および前記暗号化情報が屋内APの第一のSSID名中に書き込まれるよう、物理的接続チャネルを使って前記屋内APに送る段階と；
前記屋内APによって送られた無効化情報を受信する段階と；
前記無効化情報に従ってそのWi-Fi検索機能を無効化して、前記モバイルAPと通信するモバイル端末が前記屋内APの前記第一のSSID名中の前記SSID情報および前記暗号化情報を呼び出すことによってインターネットにアクセスするようにする、段階とを含む、
方法を提供する。
【０００８】
第三の側面では、本発明のある実施形態は屋内APであって：
モバイルAPとの物理的接続を確立するよう構成された物理インターフェースと；
モバイルAPと物理的接続チャネルが確立されたのち前記モバイルAPのSSID情報および暗号化情報を受信し、前記モバイルAPの前記SSID情報および前記暗号化情報を記憶装置に送信するよう構成された受信機と；
前記受信機によって受信された前記モバイルAPの前記SSID情報および前記暗号化情報を第一のSSID名中に記憶するよう構成された前記記憶装置と；
前記記憶装置が前記モバイルAPの前記SSID情報および前記暗号化情報を前記第一のSSID名中に記憶したのち、前記モバイルAPがそのWi-Fi検索機能を無効にするために使われる無効化情報を前記モバイルAPに送るよう構成された送信機と；
前記送信機が前記無効化情報を送ったのち、前記モバイルAPと通信するモバイル端末が前記第一のSSID名中の前記SSID情報および前記暗号化情報を呼び出すことによってインターネットにアクセスするよう、前記記憶装置中に記憶されている前記第一のSSID名を有効化するよう構成されたプロセッサとを含む、
屋内APを提供する。
【０００９】
第四の側面では、本発明のある実施形態は、モバイルAPであって：
屋内APとの物理的接続を確立するよう構成された物理インターフェースと；
前記屋内APと物理的接続チャネルが確立されたのち、当該モバイルAPのSSID情報および暗号化情報を前記屋内APに送るよう構成された送信機と；
前記送信機が前記SSID情報および前記暗号化情報を前記屋内APに送ったのちに、前記屋内APによって送られた無効化情報を受信し、前記無効化情報をプロセッサに送信するよう構成された受信機と；
前記受信機によって受信された前記無効化情報に従ってそのWi-Fi検索機能の無効化をトリガーして、当該モバイルAPと通信するモバイル端末が前記屋内APの前記第一のSSID名中の前記SSID情報および前記暗号化情報を呼び出すことによってインターネットにアクセスするようにするよう構成された前記プロセッサとを含む、
モバイルAPを提供する。
【発明の効果】
【００１０】
本発明の実施形態におけるアクセス・ポイントの組み合わされた適用のための方法および装置により、モバイルAPおよび屋内APが、固定したネットワーク帯域幅を共有するよう協働的に機能でき；いったん協働的に機能したモバイルAPと屋内APが互いから分離したのち、モバイルAPは、有効なレンジ内の前記屋内APを使うことによって、固定したネットワークに接続されることができる。それによりネットワーク資源の消費が低下し、ユーザーが助けられる。
【図面の簡単な説明】
【００１１】
【図１】従来技術において屋内APを固定したネットワークに接続する図である。
【図２】従来技術においてモバイルAPを3Gネットワークに接続する図である。
【図３】本発明のある実施形態に基づく、インターネットにアクセスする方法のフローチャートである。
【図４】本発明のある実施形態に基づく、モバイルAPおよび屋内APを適用する構成図である。
【図５】本発明のある実施形態に基づく、固定したネットワークに接続するためにモバイルAPおよび屋内APを適用する図である。
【図６】本発明のある実施形態に基づく、インターネットにアクセスするもう一つの方法のフローチャートである。
【図７】本発明のある実施形態に基づく、インターネットにアクセスする方法の詳細なフローチャートである。
【図８】本発明のある実施形態に基づく、屋内APの装置図である。
【図９】本発明のある実施形態に基づく、モバイルAPの装置図である。
【発明を実施するための形態】
【００１２】
本発明の目的、技術的解決策および利点をより理解しやすくするため、以下ではさらに、付属の図面を参照しつつ、本発明の個別的な実施形態について詳細に述べる。
【００１３】
下記は、図３を例にとって本発明のある実施形態に基づく、インターネットにアクセスする方法について詳述する。図３は、本発明のある実施形態に基づく、インターネットにアクセスする方法のフローチャートである。
【００１４】
図３に示されるように、屋内アクセス・ポイント（AP）は、第一のSSID名および第二のSSID名のような複数のSSID名を含む；屋内APは物理的接続を確立または中断するといったモバイルAPのアクションを検出する。ここで、物理的接続の確立または中断のアクションは個別的にはモバイルAPのプラグをつなぐまたはプラグを抜く動作である。モバイルAPと屋内APとの間で成功裏に物理的接続が確立されたのち、屋内APは、それに接続されたモバイルAPと物理的接続チャネルを確立し、屋内APはモバイルAPと、その物理的接続チャネルを使って情報を交換する。物理的接続チャネルが確立されたのち、屋内APはモバイルAPのSSID情報および該SSID情報に対応する暗号化情報をモバイルAPから受信し、受信されたモバイルAPのSSID情報および暗号化情報を第一のSSID名中に構成設定する。受信されたモバイルAPのSSID情報および暗号化情報の構成設定が完了すると、屋内APはモバイルAPに無効化情報を送る。モバイルAPは自らのWi-Fi検索機能を無効にし、屋内APは前記第一のSSID名中の情報を有効化する。
【００１５】
任意的に、屋内APはその第二のSSID名中の情報をモバイルAPに送り；屋内APの第二のSSID名中の前記情報の受信後、モバイルAPは前記情報を記憶し；モバイルAPと通信するユーザー端末は、屋内APの第一のSSID名を使うことによって間接的にインターネットに接続される。
【００１６】
モバイル端末がいまだ屋内APを使ってインターネットに接続されている間に屋内APがモバイルAPの物理的切断を検出する場合、すなわちモバイルAPが屋内APからプラグを抜かれたことを屋内APが検出する場合、モバイルAPは屋内APによって送られた第二のSSID名中の記憶された情報を呼び出し、屋内APの第二のSSID名を検索し、それに接続される。それによりモバイルAPと通信するユーザー端末も屋内APの第二のSSID名を使うことによってインターネットに間接的に接続されることができる。
【００１７】
複数のアクセス・ポイントの組み合わされた適用のための方法は、以下のステップを要求する。以下のステップを実装するためのエンティティは屋内APである。図３に示されるように、以下の詳細なステップが含まれる。
【００１８】
ステップ３１０：屋内APが、物理的接続チャネルを使うことによって、モバイルAPのSSID情報および前記SSID情報に対応する暗号化情報を受信する。
【００１９】
具体的には、屋内APは第一のSSID名および第二のSSID名のような複数のSSID名を含む。屋内APは、物理的接続を確立または中断するモバイルAPのアクションを検出する。ここで、物理的接続の確立または中断のアクションは個別的にはモバイルAPのプラグをつなぐまたはプラグを抜く動作である。モバイルAPと屋内APとの間で成功裏に物理的接続が確立されたのち、屋内APは、それに接続されたモバイルAPとの物理的接続チャネルを確立し、屋内APはモバイルAPと、その物理的接続チャネルを使って情報を交換する。物理的接続チャネルが確立されたのち、屋内APはモバイルAPのSSID情報および該SSID情報に対応する暗号化情報をモバイルAPから受信する。
【００２０】
ステップ３２０：屋内APがモバイルAPのSSID情報および暗号化情報を第一のSSID名中に記憶する。
【００２１】
具体的には、モバイルAPのSSID情報および該SSID情報に対応する暗号化情報をモバイルAPから受信したのち、屋内APは、受信されたモバイルAPのSSID情報および暗号化情報を屋内APの第一のSSID名中に記憶する。
【００２２】
ステップ３３０：屋内APが無効化情報をモバイルAPに送る。無効化情報は、モバイルAPがそのWi-Fi検索機能を無効にするために使われる。
【００２３】
具体的には、ステップ３１０およびステップ３２０に記載されるように、受信されたモバイルAPのSSID情報および暗号化情報を第一のSSID名中に構成設定したのち、屋内APはモバイルAPに無効化情報を送る。無効化情報は、モバイルAPがそのWi-Fi検索機能を無効にするために使われる。したがって、モバイルAPがそのWi-Fi検索機能を無効にしたのちある期間内に、モバイルAPに接続されたモバイル端末はモバイルAPから切断される。
【００２４】
ステップ３４０：屋内APはその第一のSSID名を有効にし、モバイルAPと通信するユーザー端末は、第一のSSID名中のSSID情報および暗号化情報を呼び出すことによってインターネットにアクセスする。
【００２５】
具体的には、ステップ３３０に記載されるように、モバイルAPが無効化情報に従って自らのWi-Fi検索機能を無効にしたのち、屋内APはその第一のSSID名を有効化する。
【００２６】
モバイルAPによって送られたSSID情報および該SSID情報に対応する暗号化情報は屋内APの第一のSSID名に記憶されている。したがって、モバイルAPと以前に通信していたユーザー端末は、屋内APの有効化された第一のSSID名を呼び出すことによって間接的にインターネットにアクセスする。
【００２７】
任意的に、屋内APの第一のSSID名を有効化したのち、屋内APは、確立された物理的接続チャネルを使って第二のSSID名中のSSID情報および暗号化情報をモバイルAPに送り、モバイルAPは受信された第二のSSID名中のSSID情報および暗号化情報を構成設定ファイル中に記憶する。
【００２８】
屋内APがモバイルAPの物理的切断を検出する場合、すなわちモバイルAPが屋内APからプラグを抜かれたことを屋内APが検出する場合、屋内APは第一のSSID名を無効化する。一方、モバイルAPはユーザーによって入力された有効化情報を受領する。有効化情報は、モバイルAPがそのWi-Fi検索機能を有効にするために使われる。モバイルAPがWi-Fi検索機能を有効にしたのち、屋内APによって送られた第二のSSID名中の情報はモバイルAPによってモバイルAP内の構成設定ファイル中に記憶されているので、モバイルAPは、Wi-Fi検索機能が有効化されたのちにモバイルAPのWi-Fi検索機能レンジ内で構成設定ファイル中の第二のSSID名中の記憶された情報を呼び出し、呼び出された情報に従って屋内APの第二のSSID名を検索し、それに接続され、屋内APの第二のSSID名中のSSID情報および暗号化情報を使うことによってインターネットに接続される。
【００２９】
屋内APにおいて複数のSSID名が共存することがあることを注意しておくべきである。複数のSSID名は複数のモバイルAPに接続されていてもよい。本発明の実施形態では、屋内APをモバイルAPと構成設定するプロセスは、単に例示的な仕方で記述されている。実際的な応用では、屋内APは複数のモバイルAPと同時に構成設定されてもよく、複数のモバイルAPに接続されたすべてのモバイル端末が前記屋内APを使うことによって間接的にインターネットに接続される。
【００３０】
本発明の前記実施形態におけるインターネットにアクセスする方法では、モバイルAPと屋内APは、固定したネットワーク帯域幅を共有するよう協働的に機能でき；いったん協働的に機能したモバイルAPと屋内APが互いから分離したのち、モバイルAPは、有効なレンジ内の前記屋内APを使うことによって、固定したネットワークに接続されることができる。それによりネットワーク資源の消費が低下し、ユーザーが助けられる。
【００３１】
下記は、図４を例にとり、図５を参照して、本発明のある実施形態において開示されるインターネット・アクセス方法について詳述する。図４は、本発明のある実施形態に基づく、モバイルAPおよび屋内APを適用する構成設定図であり、図５は、本発明のある実施形態に基づく、モバイルAPおよび屋内APを固定したネットワークに接続するために適用する図である。
【００３２】
図４に示されるように、屋内APは、第一のSSID名および第二のSSID名のような複数のSSID名を含む；屋内APは物理的接続を確立または中断するアクションを検出する。ここで、物理的接続の確立または中断のアクションは個別的にはモバイルAPのプラグをつなぐまたはプラグを抜く動作である。
【００３３】
モバイルAPと屋内APとの間で成功裏に物理的接続が確立されたのち、屋内APは、それに接続されたモバイルAPと物理的接続チャネルを確立し、屋内APはモバイルAPと、その物理的接続チャネルを使って情報を交換する。物理的接続チャネルが確立されたのち、モバイルAPは該モバイルAPのSSID情報および該SSID情報に対応する暗号化情報を屋内APに送り；モバイルAPのSSID情報および該SSID情報に対応する暗号化情報をモバイルAPから受信したのち、屋内APは、受信されたモバイルAPのSSID情報および暗号化情報を第一のSSID名中に構成設定する。
【００３４】
屋内APが受信されたモバイルAPのSSID情報および暗号化情報を構成設定したのち、モバイルAPは屋内APにプラグを差し込まれていたため、屋内APはモバイルAPに無効化情報を送る。モバイルAPは自らのWi-Fi検索機能を無効にし、一方、屋内APは前記第一のSSID名中の情報を有効化する。屋内APの第二のSSID名はいまだユーザー端末がアクセスを実行するためにSSID情報を保持する。屋内APはその第二のSSID名中の情報をモバイルAPに送る。屋内APの第二のSSID名中の前記情報の受信後、モバイルAPは前記情報をその構成設定ファイル中に記憶する。図４は、モバイルAPと屋内APとの間でSSID情報を設定するプロセスを示すために点線を使っている。モバイルAPと通信する（図４で実線で示されるように）ユーザー端末は、屋内APの第一のSSID名中のSSID情報および暗号化情報を呼び出すことによってインターネットに接続される。すなわち、ユーザー端末１、……、ユーザー端末ｎは、屋内APの第一のSSID名中のSSID情報および暗号化情報を使う（図４では点線で示されるように）ことによって直接的にインターネットに接続する。
【００３５】
図５に示されるように、屋内APがモバイルAPの物理的切断を検出する場合、すなわちモバイルAPが屋内APからプラグを抜かれたことを検出する場合、屋内APは第一のSSID名を無効化する。一方、モバイルAPはユーザーによって入力された有効化情報を受領する。有効化情報は、モバイルAPがそのWi-Fi検索機能を有効にするために使われる。前述したように、モバイルAPがWi-Fi検索機能を有効にしたのち、屋内APによって送られた第二のSSID名中のSSID情報および暗号化情報はモバイルAPによってモバイルAP内の構成設定ファイル中に記憶されているので、モバイルAPは、モバイルAPのWi-Fi検索機能が有効化されたのちに構成設定ファイル中の第二のSSID名中の前に記憶されたSSID情報および暗号化情報を呼び出し、呼び出された情報に従って屋内APの第二のSSID名を検索し、それに接続され、屋内APの第二のSSID名中のSSID情報および暗号化情報を使うことによってインターネットに接続される。
【００３６】
下記は、図６を例にとって本発明のある実施形態に基づく、インターネットにアクセスするもう一つの方法について詳述する。図６は、本発明のある実施形態に基づく、インターネットにアクセスするもう一つの方法のフローチャートである。
【００３７】
複数のアクセス・ポイントの組み合わされた適用のための方法は、以下のステップを必要とする。以下のステップを実装するエンティティはモバイルAPである。図６に示されるように、以下のステップが含まれる。
【００３８】
ステップ６１０：モバイルAPがそのSSID情報および暗号化情報を屋内APに送る。
【００３９】
具体的には、モバイルAPは、屋内APと物理的接続を確立する。ここで、物理的接続の確立または中断のアクションは個別的にはモバイルAPのプラグをつなぐまたはプラグを抜く動作である。屋内APは、物理的接続を確立または中断するモバイルAPのアクションを検出する。モバイルAPと屋内APとの間で成功裏に物理的接続が確立されたのち、屋内APは、それに接続されたモバイルAPとの物理的接続チャネルを確立し、屋内APはモバイルAPと、その物理的接続チャネルを使って情報を交換する。物理的接続チャネルが成功裏に確立されていることを知ったのち、モバイルAPはモバイルAPのSSID情報および該SSID情報に対応する暗号化情報を屋内APに送る。
【００４０】
ステップ６２０：モバイルAPが、屋内APによって送られた無効化情報を受信する。
【００４１】
具体的には、ステップ６１０に記載されるように、受信されたモバイルAPのSSID情報および暗号化情報を第一のSSID名中に構成設定したのち、屋内APは無効化情報をモバイルAPに送り、モバイルAPは屋内APによって送られた無効化情報を受信する。無効化情報は、モバイルAPがそのWi-Fi検索機能を無効にするために使われる。したがって、モバイルAPがそのWi-Fi検索機能を無効にしたのちある期間内に、モバイルAPに接続されたモバイル端末はモバイルAPから切断される。
【００４２】
ステップ６３０：モバイルAPが無効化情報に従ってそのWi-Fi検索機能を無効にする。それにより、モバイルAPと通信するモバイル端末は、屋内APの第一のSSID名中のSSID情報および暗号化情報を呼び出すことによってインターネットにアクセスする。
【００４３】
具体的には、ステップ６２０に記載されるように、モバイルAPが無効化情報に従ってそのWi-Fi検索機能を無効にしたのち、屋内APはその第一のSSID名を有効にする。
【００４４】
モバイルAPによって送られるSSID情報および該SSIDに対応する暗号化情報は屋内APの第一のSSID名中に記憶されている。したがって、モバイルAPと前に通信していたユーザー端末は今や、屋内APの有効にされた第一のSSID名を呼び出すことによって間接的にインターネットに接続される。
【００４５】
任意的に、屋内APの第一のSSID名を有効にしたのち、屋内APは第二のSSID名中のSSID情報および暗号化情報を、確立された物理的接続チャネルを使って、モバイルAPに送り、モバイルAPは受信された第二のSSID名中のSSID情報および暗号化情報を構成設定ファイル中に記憶する。
【００４６】
屋内APがモバイルAPの物理的切断を検出する場合、すなわちモバイルAPが屋内APからプラグを抜かれたことを屋内APが検出する場合、屋内APは第一のSSID名を無効化する。一方、モバイルAPはユーザーによって入力された有効化情報を受領する。有効化情報は、モバイルAPがそのWi-Fi検索機能を有効にするために使われる。モバイルAPがWi-Fi検索機能を有効にしたのち、屋内APによって送られた第二のSSID名中の情報はモバイルAPによってモバイルAP内の構成設定ファイル中に記憶されているので、モバイルAPは、Wi-Fi検索機能が有効化されたのちにモバイルAPのWi-Fi検索機能レンジ内で構成設定ファイル中の第二のSSID名中の記憶された情報を呼び出し、呼び出された情報に従って屋内APの第二のSSID名を検索し、それに接続され、屋内APの第二のSSID名中のSSID情報および暗号化情報を使うことによってインターネットに接続される。
【００４７】
本発明の前記実施形態におけるインターネットにアクセスする方法では、モバイルAPと屋内APは、固定したネットワーク帯域幅を共有するよう協働的に機能でき；いったん協働的に機能したモバイルAPと屋内APが互いから分離したのち、モバイルAPは、有効なレンジ内の前記屋内APを使うことによって、固定したネットワークに接続されることができる。それによりネットワーク資源の消費が低下し、ユーザーが助けられる。
【００４８】
図４および図５についての上記の記述に関し、詳細な実装プロセスが図７に示される。図７は、本発明のある実施形態に基づく、インターネット・アクセス方法の詳細なフローチャートである。
【００４９】
図７に示されるように、屋内APおよびモバイルAPを一緒に使う詳細なステップは以下を含む。
【００５０】
ステップ７００：屋内APが、モバイルAPが物理的接続を確立することを検出する。
【００５１】
具体的には、屋内APは、第一のSSID名および第二のSSID名のような複数のSSID名を含む；屋内APは物理的接続を確立するモバイルAPのアクションを検出する。ここで、物理的接続を確立するアクションは個別的にはモバイルAPのプラグをつなぐ動作である。屋内APが、モバイルAPが物理的接続を確立することを検出したら、ステップ７０１が実行される。
【００５２】
ステップ７０１：屋内APがモバイルAPのSSID情報および暗号化情報を受信する。
【００５３】
具体的には、ステップ７００に記載されるように、屋内APが、モバイルAPが物理的接続を確立することを検出し、したがって、屋内APはモバイルAPに、屋内APが成功裏に接続されていることを通知する。屋内APは、屋内APに接続されたモバイルAPへの物理的接続チャネルを確立し、屋内APはモバイルAPと、その物理的接続チャネルを使って情報を交換する。成功裏の接続を知ったのち、モバイルAPは該モバイルAPのSSID情報および該SSID情報に対応する暗号化情報を屋内APに送る。
【００５４】
ステップ７０２：屋内APが、モバイルAPのSSID情報および暗号化情報を第一のSSID名中に記憶する。
【００５５】
具体的には、モバイルAPのSSID情報および該SSID情報に対応する暗号化情報をモバイルAPから受信したのち、屋内APは、受信されたモバイルAPのSSID情報および暗号化情報を第一のSSID名中に構成設定する。本発明の前記実施形態では、屋内APの第一のSSID名におけるSSID情報がリザーブされる。前記第二のSSID名におけるSSID情報は「ABCD」であり、モバイルAPのSSID情報は「EFGH」であり、屋内APはモバイルAPのSSID情報を第一のSSID名中に構成設定する。したがって、第一のSSID名中のSSID情報は「EFGH」である。
【００５６】
ステップ７０３：屋内APが無効化情報をモバイルAPに送る。
【００５７】
具体的には、モバイルAPによって送られたSSID情報および暗号化情報を記憶したのち、屋内APはモバイルAPに無効化情報を送る。無効化情報は、モバイルAPが自らのWi-Fi検索機能を無効にするために使われる。無効化情報の受信後、モバイルAPはそのWi-Fi検索機能を無効にする。モバイルAPはこの時点でそのWi-Fi検索機能を無効化しているので、モバイルAPに接続されたモバイル端末は、ある期間内にモバイルAPから切断されることを注意しておくべきである。
【００５８】
ステップ７０４：屋内APがその第一のSSID名を有効にし、モバイルAPと通信するユーザー端末は第一のSSID名を使ってインターネットに接続される。
【００５９】
具体的には、ステップ７０３に記載されるように、モバイルAPに無効化情報を送ったのち、屋内APはその第一のSSID名を有効化する。
【００６０】
先のステップについての記述によれば、モバイルAPのSSID情報「EFGH」および対応する暗号化情報が屋内APの第一のSSID名中に記憶されており、モバイルAPはそのWi-Fi検索機能を無効化しており、屋内APは第一のSSID名を有効にしている。したがって、モバイルAPと前に通信していたユーザー端末は今や、屋内APの有効にされた第一のSSID名におけるSSID情報および暗号化情報を呼び出すことによって間接的にインターネットにアクセスする。
【００６１】
ステップ７０５：屋内APは第二のSSID名中のSSID情報および暗号化情報をモバイルAPに送る。
【００６２】
具体的には、屋内APの第二のSSID名はいまだユーザー端末がアクセスを実行するために前記SSID情報、すなわち「ABCD」を保持している。屋内APはその第二のSSID名中のSSID情報および暗号化情報をモバイルAPに送る。屋内APの第二のSSID名中のSSID情報および暗号化情報の受信後、モバイルAPはSSID情報および暗号化情報をモバイルAPの構成設定ファイル中に記憶する。したがって、モバイルAPの構成設定ファイルは、屋内APの第二のSSID名中のSSID情報および暗号化情報「ABCD」を記憶する。
【００６３】
ステップ７０５は、モバイルAPが屋内APと物理的接続を確立している間の任意の時点に実行されうることを注意しておくべきである。
【００６４】
ステップ７０６：モバイルAPはユーザーの有効化情報を受領する。
【００６５】
具体的には、物理的接続は多くの理由により中断されうる。たとえば、ユーザーが屋内APからモバイルAPのプラグを抜くまたはモバイルAPと屋内APとの間の通信接続チャネルに障害があるなどである。モバイルAPと屋内APとの間で物理的接続が中断されたのち、モバイルAPはユーザーの有効化情報を受け取り、有効化情報に従ってそのWi-Fi検索機能を有効にし、屋内APの第二のSSID名におけるSSID情報および暗号化情報を検索する。
【００６６】
ステップ７０７：屋内APがその第一のSSID名を無効にする。
【００６７】
具体的には、屋内APがモバイルAPの物理的切断を検出する場合、屋内APは第一のSSID名を無効化する。
【００６８】
先のステップにおいて述べたように、モバイルAPが屋内APと物理的接続を確立するとき、モバイルAPは、屋内APによって送られた第二のSSID名内のSSID情報および暗号化情報を、モバイルAPの構成設定ファイル中に記憶する。したがって、モバイルAPのWi-Fi検索機能を有効にしたのち、モバイルAPは構成設定ファイル内の第二のSSID名中の記憶されているSSID情報および暗号化情報を呼び出し、モバイルAPのWi-Fi検索機能を使って、呼び出された情報に従ってモバイルAPのWi-Fi検索レンジ内の屋内APの第二のSSID名中のSSID情報および暗号化情報を検索し、それに接続され、屋内APの第二のSSID名中のSSID情報および暗号化情報を使ってインターネットに接続される。
【００６９】
本発明の前記実施形態におけるインターネットにアクセスする方法では、モバイルAPと屋内APは、固定したネットワーク帯域幅を共有するよう協働的に機能でき；いったん協働的に機能したモバイルAPと屋内APが互いから分離したのち、モバイルAPは、有効なレンジ内の前記屋内APを使うことによって、固定したネットワークに接続されることができる。それによりネットワーク資源の消費が低下し、ユーザーが助けられる。
【００７０】
上記の実施形態は、アクセス・ポイントを適用する方法についての記述である。対応して、本方法は、アクセス・ポイント適用装置によって実装されてもよい。図８は、図３に示した上記の方法実施形態を実装するために使われる、本発明のある実施形態に基づく屋内APの装置図である。図８に示されるように、屋内APは受信機８１０、記憶装置８２０、送信機８３０およびプロセッサ８４０を含む。
【００７１】
受信機８１０は、モバイルAPと物理的接続チャネルが確立されたのち、モバイルAPのSSID情報および暗号化情報を受信し、モバイルAPのSSID情報および暗号化情報を記憶装置に送信するよう構成される。
【００７２】
記憶装置８２０は、受信機によって受信されたモバイルAPのSSID情報および暗号化情報を第一のSSID名中に記憶するよう構成される。
【００７３】
送信機８３０は、前記記憶装置がモバイルAPのSSID情報および暗号化情報を第一のSSID名中に記憶したのち、モバイルAPに無効化情報を送るよう構成される。無効化情報は、モバイルAPがそのWi-Fi検索機能を無効にするために使われる。
【００７４】
プロセッサ８４０は、送信機が無効化情報を送ったのち、記憶装置に記憶されている第一のSSID名を有効にするよう構成される。それにより、モバイルAPと通信するモバイル端末は、第一のSSID名中のSSID情報および暗号化情報を呼び出すことによってインターネットにアクセスする。
【００７５】
任意的に、屋内APはさらに、モバイルAPと物理的接続を確立するよう構成された物理インターフェース８５０を含む。
【００７６】
受信機８１０はさらに：モバイルAPが物理的接続を確立したことを前記プロセッサが検出する場合に、前記受信機に、モバイルAPのSSID情報および暗号化情報を受信するよう命令するよう構成される。
【００７７】
送信機８３０はさらに、モバイルAPに無効化情報を送ったのち、モバイルAPに第二のSSID名中のSSID情報および暗号化情報を送るよう構成される。それにより、モバイルAPは、第二のSSID名中のSSID情報および暗号化情報を構成設定ファイル中に記憶する。
【００７８】
物理的インターフェース８５０はさらに、モバイルAPとの物理的接続を中断するよう構成される。
【００７９】
プロセッサ８４０はさらに、該プロセッサがモバイルAPの物理的切断を検出する場合、前記記憶装置中の第一のSSID名を無効化するよう構成される。それにより、モバイルAPと通信するモバイル端末は、第二のSSID名中のSSID情報および暗号化情報を呼び出すことによってインターネットに接続される。
【００８０】
本発明の前記実施形態におけるアクセス・ポイント適用装置では、モバイルAPと屋内APは、固定したネットワーク帯域幅を共有するよう協働的に機能でき；いったん協働的に機能したモバイルAPと屋内APが互いから分離したのち、モバイルAPは、有効なレンジ内の前記屋内APを使うことによって、固定したネットワークに接続されることができる。それによりネットワーク資源の消費が低下し、ユーザーが助けられる。
【００８１】
上記の実施形態は、アクセス・ポイントを適用する方法についての記述である。対応して、本方法は、アクセス・ポイント適用装置によって実装されてもよい。図９は、図６に示した上記の方法実施形態を実装するために使われる、本発明のある実施形態に基づくモバイルAPの装置図である。図９に示されるように、屋内APは送信機９１０、受信機９２０およびプロセッサ９３０を含む。
【００８２】
送信機９１０は、モバイルAPと物理的接続チャネルが確立されたのち、自らのSSID情報および暗号化情報を屋内APに送るよう構成される。
【００８３】
受信機９２０は、送信機がSSID情報および暗号化情報を屋内APに送ったのちに屋内APによって送られる無効化情報を受信し、該無効化情報を前記プロセッサに送信するよう構成される。
【００８４】
プロセッサ９３０は、前記受信機によって受信された無効化情報に従ってWi-Fi検索機能の無効化をトリガーするよう構成される。それによりモバイルAPと通信するモバイル端末は、屋内APの第一のSSID名におけるSSID情報および暗号化情報を呼び出すことによってインターネットにアクセスする。
【００８５】
モバイルAPはさらに、屋内APと物理的接続を確立するよう構成された物理インターフェース９４０を含む。
【００８６】
受信機９２０はさらに、屋内APによって送られた無効化情報を受信したのち、屋内APから屋内APの第二のSSID名中のSSID情報および暗号化情報を受信し、受信された屋内APの第二のSSID名中のSSID情報および暗号化情報を記憶装置に送信するよう構成されている。
【００８７】
モバイルAPはさらに、前記受信機によって受信された屋内APの第二のSSID名中のSSID情報および暗号化情報を、構成設定ファイル中に記憶するよう構成されている。
【００８８】
物理インターフェース９４０はさらに、屋内APとの物理的接続を中断するよう構成されている。
【００８９】
受信機９２０はさらに、ユーザーの有効化情報を受領し、該有効化情報を前記プロセッサに送信するよう構成されている。
【００９０】
プロセッサ９３０はさらに、前記受信機によって受信される前記有効化情報に従ってそのWi-Fi検索機能を有効にするよう構成されており、前記屋内APの第二のSSID名中のSSID情報および暗号化情報を検索するよう構成されている。それにより、モバイルAPと通信するモバイル端末は、第二のSSID名中のSSID情報および暗号化情報を呼び出すことによってインターネットに接続される。
【００９１】
当業者はさらに、本稿で開示された実施形態において記述される例と組み合わせて、ユニットおよびアルゴリズム・ステップが電子的ハードウェア、コンピュータ・ソフトウェアまたはそれらの組み合わせによって実装されてもよいことを認識しうる。ハードウェアとソフトウェアの間の交換可能性を明確に述べるため、上記は一般に、すべての実施形態の組成およびステップを機能に基づいて記述している。そうした機能がハードウェアによって実行されるかソフトウェアによって実行されるかは、技術的解決策の特定の用途および設計上の制約条件に依存する。当業者は、各特定の用途のために記載された機能を実装するために種々の方法を使用しうるが、該実装が本発明の範囲外のものだと考えるべきではない。
【００９２】
本稿に記載される実施形態との関連で記載される方法またはアルゴリズムのステップは、ハードウェア、プロセッサによって実行されるソフトウェア・モジュールまたは両者の組み合わせにおいて実行されうる。ソフトウェア・モジュールはランダム・アクセス・メモリ（RAM）、コンピュータ・メモリ、読み出し専用メモリ（ROM）、電気的にプログラム可能型ROM、電気的に消去可能なプログラム可能型ROM、レジスタ、ハードディスク、リムーバブル・ディスク、CD-ROMまたは当技術分野においてよく知られている他の任意の記憶媒体に位置されていてもよい。
【００９３】
本発明の目的、技術的解決策および利益は、以上の個別的な実施形態において詳細に記載されている。以上の記述は本発明の単に個別的な実施形態であって、本発明の保護範囲を限定することは意図されていない。本発明の精神および原理の範囲内でなされるいかなる修正、等価な置換または改善も、本発明の保護範囲内にはいる。
【符号の説明】
【００９４】
６１０  SSID情報および暗号化情報を屋内APに送る
６２０  屋内APによって送られた無効化情報を受領
６３０  Wi-Fi検索機能を無効化
７００  モバイルAPが物理的接続を確立したことを検出
７０１  モバイルAPのSSID情報および該SSID情報に対応する暗号化情報を受領
７０２  モバイルAPのSSID情報を第一のSSID名中に記憶
７０３  無効化情報をモバイルAPに送る
７０４  第一のSSID名を有効化
７０５  第二のSSID名中の情報をモバイルAPに送る
７０６  モバイルAPがユーザーの有効化情報を受領
７０７  第一のSSID名を無効化
８１０  受信機
８２０  記憶装置
８３０  送信機
８４０  プロセッサ
８５０  物理インターフェース
９１０  送信機
９２０  受信機
９３０  プロセッサ
９４０  物理インターフェース
９５０  記憶装置
【図１】
0005551805.tif 000002
【図２】
0005551805.tif 000003
【図３】
0005551805.tif 000004
【図４】
0005551805.tif 000005
【図５】
0005551805.tif 000006
【図６】
0005551805.tif 000007
【図７】
0005551805.tif 000008
【図８】
0005551805.tif 000009
【図９】
0005551805.tif 000010